(57)【要約】【課題】  デバイス、およびそのデバイスのためにインストールされるデバイスドライバーを、ユーザーが視覚的に確認しながら選択することができるようにする。【解決手段】  １つの操作画面内に第１表示領域１０１、第２表示領域１０２、および第３表示領域１０３が表示される。第３表示領域１０３には、第１表示領域１０１内のデバイスリストから選択されたデバイス２０１が表示され、さらに、そのデバイス２０１に対して、第２表示領域１０２内のデバイスドライバーリストから選択されたデバイスドライバー２０２が、そのデバイス２０１に関連付けて表示される。そして、第３表示領域１０３において表示されているデバイス２０１用のデバイスドライバーとして、そのデバイス２０１に関連付けて表示されているデバイスドライバー２０２が、インストールされる。【選択図】  図２
2014229032.tif 000002
【特許請求の範囲】
【請求項１】
端末装置内のコンピューターを、
前記端末装置から通信可能なデバイスのデバイスリストを生成するデバイスリスト生成部、
（ａ）１つの画面内に第１表示領域、第２表示領域、および第３表示領域を表示させ、（ｂ）前記第１表示領域に、前記デバイスリストを表示させ、（ｃ）前記第２表示領域に、デバイスドライバーリストを表示させ、（ｄ）前記第３表示領域に、前記デバイスリストから選択された１または複数のデバイスを表示させるとともに、表示されている前記デバイスに対して前記デバイスドライバーリストから選択された１または複数のデバイスドライバーを、表示されている前記デバイスに関連付けて表示させる表示制御部、並びに、
前記第３表示領域において表示されているデバイスに関連付けて表示されている前記デバイスドライバーを、前記第３表示領域に表示されているそのデバイス用のデバイスドライバーとして前記端末装置にインストールするインストール処理部
として機能させるインストーラープログラム。
【請求項２】
前記表示制御部は、前記表示されている前記デバイスに対して前記デバイスドライバーリストから前記デバイスドライバーが選択されたときに、選択された前記デバイスドライバーがその表示されている前記デバイスに適合するか否かを判定し、選択された前記デバイスドライバーがその表示されている前記デバイスに適合しない場合には、警告を表示させることを特徴とする請求項１記載のインストーラープログラム。
【請求項３】
前記表示制御部は、前記第３表示領域において表示されている前記デバイスおよび／または前記デバイスドライバーに関連付けてアイコンを表示させ、前記アイコンが操作されると、前記デバイスドライバーの設定値を入力するための設定画面を表示させることを特徴とする請求項１記載のインストーラープログラム。
【請求項４】
前記表示制御部は、第３表示領域において表示されている前記デバイスに関連付けて複数の前記デバイスドライバーが表示されているときに前記アイコンが操作されると、前記設定画面において、前記複数のデバイスドライバーのそれぞれの設定値を入力するための複数のタブを表示させることを特徴とする請求項３記載のインストーラープログラム。
【請求項５】
前記表示制御部は、ソフトキーを表示させ、前記ソフトキーが操作されると、前記第２表示領域において表示されている前記デバイスドライバーリスト内のデバイスドライバーのうちの前記ソフトキーが操作されたときに選択されているデバイスドライバーを、前記第３表示領域において表示されている前記デバイスのうちの前記ソフトキーが操作されたときに選択されているデバイスに関連付けて表示させることを特徴とする請求項１記載のインストーラープログラム。
【請求項６】
前記表示制御部は、さらに第４表示領域を表示させ、前記第４表示領域に、ユーティリティリストを表示させ、前記ユーティリティリストから選択された１または複数のユーティリティを前記第３表示領域に表示させ、
前記インストール処理部は、前記第３表示領域に表示されている前記ユーティリティを前記デバイスドライバーとともに前記端末装置にインストールすること、
を特徴とする請求項１から請求項５のうちのいずれか１項記載のインストーラープログラム。
【請求項７】
端末装置から通信可能なデバイスのデバイスリストを生成するステップと、
１つの画面内に第１表示領域、第２表示領域、および第３表示領域を表示させるステップと、
前記第１表示領域に、前記デバイスリストを表示させるステップと、
前記第２表示領域に、デバイスドライバーリストを表示させるステップと、
前記第３表示領域に、前記デバイスリストから選択された１または複数のデバイスを表示させるとともに、表示されている前記デバイスに対して前記デバイスドライバーリストから選択された１または複数のデバイスドライバーを、表示されている前記デバイスに関連付けて表示させるステップと、
前記第３表示領域において表示されているデバイスに関連付けて表示されている前記デバイスドライバーを、前記第３表示領域に表示されているそのデバイス用のデバイスドライバーとして前記端末装置にインストールするステップと、
を備えることを特徴とするインストール方法。
【発明の詳細な説明】
【技術分野】
【０００１】
本発明は、インストーラープログラムおよびインストール方法に関するものである。
【背景技術】
【０００２】
ある情報処理装置では、ローカルエリアネットワークに接続されたデバイスのうち、そのデバイスを制御するためのデバイスドライバーが当該情報処理装置にインストールされていないものを検索し、検索で発見されたデバイスのリストを表示し、ユーザーによりリストから選択されたデバイスのデバイスドライバーをインストールしている（例えば特許文献１参照）。
【先行技術文献】
【特許文献】
【０００３】
【特許文献１】特開２００９−３７５３６号公報
【発明の概要】
【発明が解決しようとする課題】
【０００４】
上述の技術では、デバイスドライバーが端末装置にインストールされるデバイスをユーザーが選択することはできるが、１つのデバイスに対して複数のデバイスドライバーが存在する場合、デバイスドライバーが端末装置にインストールされるデバイス、およびそのデバイスのためにインストールされるデバイスドライバーを、ユーザーが視覚的に確認しながら選択することは困難である。
【０００５】
本発明は、上記の問題に鑑みてなされたものであり、１つのデバイスに対して複数のデバイスドライバーが存在する場合でも、デバイスドライバーが端末装置にインストールされるデバイス、およびそのデバイスのためにインストールされるデバイスドライバーを、ユーザーが視覚的に確認しながら選択することができるようにするインストーラープログラムおよびインストール方法を得ることを目的とする。
【課題を解決するための手段】
【０００６】
本発明に係るインストーラープログラムは、端末装置内のコンピューターを、前記端末装置から通信可能なデバイスのデバイスリストを生成するデバイスリスト生成部、（ａ）１つの画面内に第１表示領域、第２表示領域、および第３表示領域を表示させ、（ｂ）前記第１表示領域に、前記デバイスリストを表示させ、（ｃ）前記第２表示領域に、デバイスドライバーリストを表示させ、（ｄ）前記第３表示領域に、前記デバイスリストから選択された１または複数のデバイスを表示させるとともに、表示されている前記デバイスに対して前記デバイスドライバーリストから選択された１または複数のデバイスドライバーを、表示されている前記デバイスに関連付けて表示させる表示制御部、並びに、前記第３表示領域において表示されているデバイスに関連付けて表示されている前記デバイスドライバーを、前記第３表示領域に表示されているそのデバイス用のデバイスドライバーとして前記端末装置にインストールするインストール処理部として機能させる。
【０００７】
本発明に係るインストール方法は、端末装置から通信可能なデバイスのデバイスリストを生成するステップと、１つの画面内に第１表示領域、第２表示領域、および第３表示領域を表示させるステップと、前記第１表示領域に、前記デバイスリストを表示させるステップと、前記第２表示領域に、デバイスドライバーリストを表示させるステップと、前記第３表示領域に、前記デバイスリストから選択された１または複数のデバイスを表示させるとともに、表示されている前記デバイスに対して前記デバイスドライバーリストから選択された１または複数のデバイスドライバーを、表示されている前記デバイスに関連付けて表示させるステップと、前記第３表示領域において表示されているデバイスに関連付けて表示されている前記デバイスドライバーを、前記第３表示領域に表示されているそのデバイス用のデバイスドライバーとして前記端末装置にインストールするステップとを備える。
【発明の効果】
【０００８】
本発明によれば、１つのデバイスに対して複数のデバイスドライバーが存在する場合でも、デバイスドライバーが端末装置にインストールされるデバイス、およびそのデバイスのためにインストールされるデバイスドライバーを、ユーザーが視覚的に確認しながら選択することができる。
【図面の簡単な説明】
【０００９】
【図１】図１は、本発明の実施の形態に係るインストーラープログラムに従って、デバイスのデバイスドライバーが端末装置にインストールされるシステムの構成を示すブロック図である。
【図２】図２は、本発明の実施の形態に係るインストーラープログラムによって表示される操作画面の一例を示す図である。
【図３】図３は、図２におけるアイコン２０３が操作された際に表示されるデバイスドライバーの設定画面の一例を示す図である。
【図４】図４は、デバイスの選択および選択されたデバイス用のデバイスドライバーの選択の手順を説明する図である（１／３）。
【図５】図５は、デバイスの選択および選択されたデバイス用のデバイスドライバーの選択の手順を説明する図である（２／３）。
【図６】図６は、デバイスの選択および選択されたデバイス用のデバイスドライバーの選択の手順を説明する図である（３／３）。
【発明を実施するための形態】
【００１０】
以下、図に基づいて本発明の実施の形態を説明する。
【００１１】
図１は、本発明の実施の形態に係るインストーラープログラムに従って、デバイスのデバイスドライバーが端末装置にインストールされるシステムの構成を示すブロック図である。
【００１２】
図１に示すシステムでは、端末装置１に、ネットワークや、ＵＳＢ（Universal Serial Bus）などの周辺機器インターフェイスを介して複数のデバイス２が接続されている。端末装置１は、パーソナルコンピューターなどであって、デバイス２は、複合機、プリンターなどといった電子機器である。
【００１３】
端末装置１は、通信装置１１、表示装置１２、入力装置１３、記憶装置１４、および演算処理装置１５を有する。
【００１４】
通信装置１１は、ネットワークや周辺機器インターフェイスを介してデバイス２とデータ通信を行う装置である。
【００１５】
表示装置１２は、液晶ディスプレイなどといった、各種画面を表示する装置である。
【００１６】
入力装置１３は、キーボード、マウス、タッチパネルなどといった、ユーザー操作を受け付ける装置である。
【００１７】
記憶装置１４は、ハードディスクドライブ、フラッシュメモリーなどといった、各種プログラムやデータなどを記憶する不揮発性の記憶装置である。
【００１８】
記憶装置１４には、オペレーティングシステムのＯＳプログラム２１が予め記憶されており、さらに、インストーラーパッケージ２２が記憶される。
【００１９】
例えば、インストーラーパッケージ２２は、ネットワーク上のサーバーからダウンロードされて記憶される。なお、インストーラーパッケージ２２が記録されたＣＤ−ＲＯＭなどの記録媒体の駆動装置を演算処理装置１５に接続し、その駆動装置でその記録媒体からインストーラーパッケージ２２を読み出すようにしてもよい。
【００２０】
インストーラーパッケージ２２には、インストーラープログラム３１、ドライバープログラム群３２、およびユーティリティプログラム群３３が含まれている。
【００２１】
ドライバープログラム群３２およびユーティリティプログラム群３３は、端末装置１にインストール可能なデバイスドライバーおよびユーティリティのプログラムであり、インストーラープログラム３１は、ドライバープログラム群３２およびユーティリティプログラム群３３に基づいてデバイスドライバーおよびユーティリティをインストールするためのプログラムである。
【００２２】
演算処理装置１５は、ＣＰＵ（Central Processing Unit）、ＲＯＭ（Read Only Memory）、ＲＡＭ（Random Access Memory）などを有するコンピューターを内蔵しており、ＲＡＭにプログラムをロードしてＣＰＵで実行し、各種処理部を実現する。
【００２３】
ここでは、ＯＳプログラム２１を実行することで、オペレーティングシステム４１が実現され、インストーラープログラム３１を実行することで、インストーラー４２が実現される。
【００２４】
インストーラー４２は、デバイスリスト生成部５１、表示制御部５２、およびインストール処理部５３を有する。
【００２５】
デバイスリスト生成部５１は、端末装置１から通信可能なデバイス２のデバイスリストを生成する。
【００２６】
表示制御部５２は、インストーラー４２起動時に、操作画面を表示装置１２に表示させる。図２は、本発明の実施の形態に係るインストーラープログラムによって表示される操作画面の一例を示す図である。
【００２７】
表示制御部５２は、（ａ）１つの操作画面内に第１表示領域１０１、第２表示領域１０２、および第３表示領域１０３を表示させ、（ｂ）第１表示領域１０１に、そのデバイスリストを表示させ、（ｃ）第２表示領域１０２に、ドライバープログラム群３２のデバイスドライバーリストを表示させ、（ｄ）第３表示領域１０３に、第１表示領域１０１に表示されているデバイスリストから選択された１または複数のデバイス２０１を表示させるとともに、表示されているデバイス２０１に対して、第２表示領域１０２に表示されているデバイスドライバーリストから選択された１または複数のデバイスドライバー２０２を、表示されているデバイス２０１に関連付けて表示させる。
【００２８】
例えば図２に示すように、第１表示領域１０１には、デバイスリストにおける各デバイスとして、デバイス種別を示すアイコン、デバイス種別名、およびＩＰアドレスが表示される。なお、図２におけるデバイス種別名「MFP5501a」，「MFP5501C」，「MFP3501」のデバイスは、複合機であり、デバイス種別名「PRN1011」のデバイスは、プリンターである。また、「Print DRIVER」および「Print mini-DRIVER」は、印刷機能のデバイスドライバーであり、「FAX DRIVER」は、ファクシミリ通信機能のデバイスドライバーである。
【００２９】
この実施の形態では、デバイス２０１としてデバイス名およびネットワーク識別子（ここではＩＰアドレス）が表示され、その下にデバイスドライバー２０２としてデバイスドライバー名が表示される。
【００３０】
また、表示制御部５２は、第４表示領域１０４をさらに表示させ、第４表示領域１０４に、ユーティリティプログラム群３３のユーティリティリストを表示させ、ユーティリティリストから選択された１または複数のユーティリティを第３表示領域１０３に表示させる。
【００３１】
さらに、表示制御部５２は、ソフトキー１１１を表示させ、そのソフトキー１１１が操作されると、第１表示領域１０１において表示されているデバイスリスト内のデバイスのうちのソフトキー１１１が操作されたときに選択されているデバイスを、第３表示領域１０３において表示させる。
【００３２】
さらに、表示制御部５２は、ソフトキー１１２を表示させ、そのソフトキー１１２が操作されると、デバイスリスト生成部５１が、再度、デバイスリストを生成し、表示制御部５２は、再生成されたデバイスリストで、第１表示領域１０１に表示されているデバイスリストを更新する。
【００３３】
さらに、表示制御部５２は、ソフトキー１１３を表示させ、そのソフトキー１１３が操作されると、手動で、デバイスリストにデバイスを追加するための入力画面を表示させる。その後、その入力画面で入力されたデバイスが、第１表示領域１０１に表示されているデバイスリストに追加される。
【００３４】
さらに、表示制御部５２は、ソフトキー１２１を表示させ、そのソフトキー１２１が操作されると、第２表示領域１０２において表示されているデバイスドライバーリスト内のデバイスドライバーのうちのソフトキー１２１が操作されたときに選択されているデバイスドライバーを、第３表示領域１０３において表示されているデバイス２０１のうちのソフトキー１２１が操作されたときに選択されているデバイス２０１に関連付けて表示させる。
【００３５】
さらに、表示制御部５２は、ソフトキー１４１を表示させ、そのソフトキー１４１が操作されると、第４表示領域１０４において表示されているユーティリティリスト内のユーティリティのうちのソフトキー１４１が操作されたときに選択されているユーティリティを、第３表示領域１０３において表示させる。
【００３６】
さらに、表示制御部５２は、第３表示領域１０３において表示されているデバイス２０１および／またはデバイスドライバー２０２に関連付けてアイコン２０３を表示させ、そのアイコン２０３が操作されると、そのデバイスドライバー２０２の設定値を入力するための設定画面を表示させる。
【００３７】
図３は、図２におけるアイコン２０３が操作された際に表示されるデバイスドライバーの設定画面の一例を示す図である。図３に示す設定画面は、図２におけるデバイス「MFP5501a」のデバイスドライバーについてのものである。
【００３８】
このとき、表示制御部５２は、第３表示領域１０３において表示されている１つのデバイス２０１に関連付けて複数のデバイスドライバー２０２（図２では、例えば「Print DRIVER」、「FAX DRIVER」の２つ）が表示されているときにアイコン２０３が操作されると、その設定画面において、図３に示すように、その複数のデバイスドライバーのそれぞれの設定値を入力するための複数のタブ３０１，３０２を表示させる。
【００３９】
インストール処理部５３は、操作画面に表示されているインストールキー１０５が操作されたときに、第３表示領域１０３において表示されているデバイス２０１に関連付けて表示されているデバイスドライバー２０２を、第３表示領域１０３に表示されているそのデバイス２０１用のデバイスドライバーとして端末装置１にインストールする。つまり、インストール処理部５３は、そのデバイスドライバー２０２のプログラムをインストーラーパッケージ２２のドライバープログラム群３２から読み出し、ＯＳプログラム２１の一部として組み込む。
【００４０】
さらに、インストール処理部５３は、第３表示領域１０３にユーティリティが表示されている場合には、第３表示領域１０３に表示されているユーティリティをデバイスドライバーとともに端末装置１にインストールする。つまり、インストール処理部５３は、そのユーティリティのプログラムをインストーラーパッケージ２２のユーティリティプログラム群３３から読み出し、ＯＳプログラム２１の一部として組み込むか、アプリケーションとして登録する。
【００４１】
さらに、インストール処理部５３は、上述の設定画面でデバイスドライバー２０２の設定値が入力されている場合には、その設定値を、インストールしたデバイスドライバーの設定値の初期値に設定する。
【００４２】
なお、デバイスリストにおけるデバイスの選択、ドライバーリストにおけるドライバーの選択、ユーティリティリストにおけるユーティリティの選択、インストールキー１０５の操作（押下）、ソフトキー１１１，１１２，１１３，１２１，１４１の操作（押下）、およびアイコン２０３の操作（押下）は、ユーザーが入力装置１３を操作して行われる。
【００４３】
次に、上記インストーラープログラム３１に基づくインストール処理について説明する。
【００４４】
図４〜図６は、デバイスの選択および選択されたデバイス用のデバイスドライバーの選択の手順を説明する図である。
【００４５】
ユーザーの所定の操作に従ってインストーラープログラム３１が演算処理装置１５で実行されると、表示制御部５２は、図２に示すような操作画面を表示装置１２に表示させる。そして、例えば図４に示すように、表示制御部５２は、ドライバープログラム群３２のデバイスドライバーリストを第２表示領域１０２に表示させ、ユーティリティプログラム群３３のユーティリティリストを第４表示領域１０４に表示させる。また、デバイスリスト生成部５１が、デバイス２のデバイスリストを生成すると、表示制御部５２は、そのデバイスリストを第１表示領域１０１に表示させる。
【００４６】
なお、図４に示すように、初期状態では、操作画面における第３表示領域１０３は、空白となっている。
【００４７】
そして、ユーザーは、入力装置１３を操作して、例えば図４に示すように、第１表示領域１０１に表示されている「MFP5501a」、「MFP5501C」および「PRN1011」という複数のデバイスを選択し、ソフトキー１１１を押下すると、表示制御部５２は、図５に示すように、選択されたデバイスを第３表示領域１０３に表示させる。
【００４８】
次に、ユーザーは、入力装置１３を操作して、第３表示領域１０３に表示されている「MFP5501a」および「MFP5501C」という複数のデバイスを選択し、さらに、第２表示領域１０２に表示されている「Print DRIVER」というデバイスドライバーを選択し、ソフトキー１２１を押下すると、表示制御部５２は、図６に示すように、第３表示領域１０３において、「MFP5501a」および「MFP5501C」というデバイスのそれぞれに関連付けて、「Print DRIVER」というデバイスドライバーを表示させる。なお、ここでは、デバイスドライバーリストから１つのデバイスドライバーが選択されているが、複数のデバイスドライバーを選択することも可能であり、複数のデバイスドライバーが選択されている場合は、ソフトキー１２１が押下されると、表示制御部５２は、第３表示領域１０３において、「MFP5501a」および「MFP5501C」というデバイスのそれぞれに関連付けて、その複数のデバイスドライバーを表示させる。
【００４９】
そして、例えば、図６に示す状態で、ユーザーは、入力装置１３を操作して、インストールキー１０５を押下すると、インストール処理部５３は、デバイス「MFP5501a」用のデバイスドライバーとして「Print DRIVER」をインストールするとともに、デバイス「MFP5501C」用のデバイスドライバーとして「Print DRIVER」をインストールする。
【００５０】
以上のように、上記実施の形態によれば、インストーラープログラム３１による表示制御部５２は、（ａ）１つの操作画面内に第１表示領域１０１、第２表示領域１０２、および第３表示領域１０３を表示させ、（ｂ）第１表示領域１０１に、デバイスリストを表示させ、（ｃ）第２表示領域１０２に、デバイスドライバーリストを表示させ、（ｄ）第３表示領域１０３に、第１表示領域１０１に表示されているデバイスリストから選択された１または複数のデバイス２０１を表示させるとともに、表示されているデバイス２０１に対して、第２表示領域１０２に表示されているデバイスドライバーリストから選択された１または複数のデバイスドライバー２０２を、表示されているデバイス２０１に関連付けて表示させ、インストーラープログラム３１によるインストール処理部５３は、第３表示領域１０３において表示されているデバイス２０１に関連付けて表示されているデバイスドライバー２０２を、第３表示領域１０３に表示されているそのデバイス２０１用のデバイスドライバーとしてインストールする。
【００５１】
これにより、１つのデバイスに対して複数のデバイスドライバー（例えば、上述のデバイス「MFP5501a」についての「Print DRIVER」および「FAX DRIVER」）が存在する場合でも、デバイスドライバーが端末装置１にインストールされるデバイス、およびそのデバイスのためにインストールされるデバイスドライバーを、同時にユーザーが視覚的に確認しながら選択することができる。
【００５２】
なお、上述の実施の形態は、本発明の好適な例であるが、本発明は、これらに限定されるものではなく、本発明の要旨を逸脱しない範囲において、種々の変形、変更が可能である。
【００５３】
例えば、上記実施の形態において、表示制御部５２は、第３表示領域１０３に表示されているデバイスに対してデバイスドライバーリストからデバイスドライバーが選択されたときに、選択されたデバイスドライバーがその表示されているデバイスに適合するか否かを判定し、選択されたデバイスドライバーがその表示されているデバイスに適合しない場合には、警告を表示装置１２に表示させるようにしてもよい。この場合、例えば、デバイスドライバーごとに、そのデバイスドライバーが適合するデバイスを示す適合性データを予め記憶しておき、その適合性データに基づいて、選択されたデバイスドライバーがその表示されているデバイスに適合するか否かを判定すればよい。
【産業上の利用可能性】
【００５４】
本発明は、例えば、複合機、プリンターなどの画像形成装置のデバイスドライバーのインストールに適用可能である。
【符号の説明】
【００５５】
１  端末装置
２  デバイス
１５  演算処理装置（コンピューターの一例）
３１  インストーラープログラム  
５１  デバイスリスト生成部
５２  表示制御部
５３  インストール処理部
１０１  第１表示領域
１０２  第２表示領域
１０３  第３表示領域
１０４  第４表示領域
１２１  ソフトキー
２０３  アイコン
【図１】
2014229032.tif 000003
【図２】
2014229032.tif 000004
【図３】
2014229032.tif 000005
【図４】
2014229032.tif 000006
【図５】
2014229032.tif 000007
【図６】
2014229032.tif 000008